(57)【特許請求の範囲】
【請求項１】
端末装置がアクセスポイントに無線回線を介して接続することで前記アクセスポイントに有線回線を介して接続される他の端末装置への接続を行うとともに、第１のアクセスポイントに接続される有線回線及び無線回線のいずれかで障害が発生した時に前記第１のアクセスポイントに接続される端末装置が第２のアクセスポイントに接続することで前記他の端末装置に接続するローミングが行われる無線通信ネットワークであって、
前記無線回線及び前記有線回線の障害を検知する検知手段と、前記検知手段で障害が検知された時に監視装置に当該障害を通知するため情報トラップを送出する第１の送出手段と、前記ローミングが発生したことを検知した時に前記ローミングによる通信開始及び通信終了のうちの一方を示すローミング情報トラップを前記監視装置に送出する第２の送出手段とを前記アクセスポイント各々に有し、
前記監視装置が前記第１の送出手段からの情報トラップと前記第２の送出手段からのローミング情報トラップとに基づいて障害発生を検出し、
前記第２の送出手段は、前記ローミングによって前記端末装置の接続が解除された時に前記ローミングによる通信終了を示すローミング情報トラップを前記監視装置に送出し、前記ローミングによって前記端末装置への接続が設定された時に前記ローミングによる通信開始を示すローミング情報トラップを前記監視装置に送出することを特徴とする無線通信ネットワーク。
【請求項２】
前記監視装置は、前記ローミングによる通信終了を示すローミング情報トラップと前記ローミングによる通信開始を示すローミング情報トラップとを受信した時に前記アクセスポイントの無線通信の障害発生を検出することを特徴とする請求項１記載の無線通信ネットワーク。
【請求項３】
前記監視装置は、前記ローミングによる通信開始を示すローミング情報トラップのみを受信した時に前記アクセスポイントの有線通信の障害発生を検出することを特徴とする請求項１または請求項２記載の無線通信ネットワーク。
【請求項４】
端末装置がアクセスポイントに無線回線を介して接続することで前記アクセスポイントに有線回線を介して接続される他の端末装置への接続を行うとともに、第１のアクセスポイントに接続される有線回線及び無線回線のいずれかで障害が発生した時に前記第１のアクセスポイントに接続される端末装置が第２のアクセスポイントに接続することで前記他の端末装置に接続するローミングが行われる無線通信ネットワークの障害検出方法であって、
前記無線回線及び前記有線回線の障害を検知するステップと、その障害が検知された時に監視装置に当該障害を通知するため情報トラップを送出するステップと、前記ローミングが発生したことを検知した時に前記ローミングによる通信開始及び通信終了のうちの一方を示すローミング情報トラップを前記監視装置に送出するステップとを前記アクセスポイント各々に有し、
前記監視装置が前記情報トラップと前記ローミング情報トラップとに基づいて障害発生を検出し、
前記ローミング情報トラップを送出するステップは、前記ローミングによって前記端末装置の接続が解除された時に前記ローミングによる通信終了を示すローミング情報トラップを前記監視装置に送出し、前記ローミングによって前記端末装置への接続が設定された時に前記ローミングによる通信開始を示すローミング情報トラップを前記監視装置に送出することを特徴とする障害検出方法。
【請求項５】
前記監視装置は、前記ローミングによる通信終了を示すローミング情報トラップと前記ローミングによる通信開始を示すローミング情報トラップとを受信した時に前記アクセスポイントの無線通信の障害発生を検出することを特徴とする請求項４記載の障害検出方法。
【請求項６】
前記監視装置は、前記ローミングによる通信開始を示すローミング情報トラップのみを受信した時に前記アクセスポイントの有線通信の障害発生を検出することを特徴とする請求項４または請求項５記載の障害検出方法。
【発明の詳細な説明】
【０００１】
【発明の属する技術分野】
本発明は無線通信ネットワーク及びそれに用いる障害検出方法に関し、特に無線ＬＡＮ（Ｌｏｃａｌ  Ａｒｅａ  Ｎｅｔｗｏｒｋ）装置を利用した無線通信ネットワークにおいて障害が発生した時にローミング機能によって通信の継続を図る際の障害の検出方法に関する。
【０００２】
【従来の技術】
従来、この種の無線通信ネットワークにおいては、図５に示すように、ユーザ端末（ＰＣ：パーソナルコンピュータ）４，５とアクセスポイント７，８と監視装置９とが有線回線で接続され、ユーザ端末３はアクセスポイント７，８を介して無線通信２０１，２０２にてユーザ端末４，５に接続されるようになっている。
【０００３】
ここで、例えばアクセスポイント７に障害が発生した場合、ユーザ端末３はローミング機能によってアクセスポイント８との通信を継続することができるため、アクセスポイント７の障害はＳＮＭＰ（Ｓｉｍｐｌｅ  Ｎｅｔｗｏｒｋ  Ｍａｎａｇｅｍｅｎｔ  Ｐｒｏｔｏｃｏｌ）による監視装置９へのトラップの通報によってのみ検出することができる。
【０００４】
【発明が解決しようとする課題】
上述した従来の無線通信ネットワークでは、アクセスポイントにおいて障害検知部で検知できないユーザ端末との間の無線環境の障害や監視装置に送出する有線部自体の障害のためにトラップの送信ができないようなＳＮＭＰによる通報が行われない障害に対して、その障害を発見する手段がないという問題がある。
【０００５】
そこで、本発明の目的は上記の問題点を解消し、監視装置にトラップにて通知されない障害に関してもローミングが生じる場合の障害発生を検出することができる無線通信ネットワーク及びそれに用いる障害検出方法を提供することにある。
【０００６】
【課題を解決するための手段】
本発明による無線通信ネットワークは、端末装置がアクセスポイントに無線回線を介して接続することで前記アクセスポイントに有線回線を介して接続される他の端末装置への接続を行うとともに、第１のアクセスポイントに接続される有線回線及び無線回線のいずれかで障害が発生した時に前記第１のアクセスポイントに接続される端末装置が第２のアクセスポイントに接続することで前記他の端末装置に接続するローミングが行われる無線通信ネットワークであって、
前記無線回線及び前記有線回線の障害を検知する検知手段と、前記検知手段で障害が検知された時に監視装置に当該障害を通知するため情報トラップを送出する第１の送出手段と、前記ローミングが発生したことを検知した時に前記ローミングによる通信開始及び通信終了のうちの一方を示すローミング情報トラップを前記監視装置に送出する第２の送出手段とを前記アクセスポイント各々に備え、
前記監視装置が前記第１の送出手段からの情報トラップと前記第２の送出手段からのローミング情報トラップとに基づいて障害発生を検出し、
前記第２の送出手段は、前記ローミングによって前記端末装置の接続が解除された時に前記ローミングによる通信終了を示すローミング情報トラップを前記監視装置に送出し、前記ローミングによって前記端末装置への接続が設定された時に前記ローミングによる通信開始を示すローミング情報トラップを前記監視装置に送出している。
【０００７】
本発明による無線通信ネットワークの障害検出方法は、端末装置がアクセスポイントに無線回線を介して接続することで前記アクセスポイントに有線回線を介して接続される他の端末装置への接続を行うとともに、第１のアクセスポイントに接続される有線回線及び無線回線のいずれかで障害が発生した時に前記第１のアクセスポイントに接続される端末装置が第２のアクセスポイントに接続することで前記他の端末装置に接続するローミングが行われる無線通信ネットワークの障害検出方法であって、
前記無線回線及び前記有線回線の障害を検知するステップと、その障害が検知された時に監視装置に当該障害を通知するため情報トラップを送出するステップと、前記ローミングが発生したことを検知した時に前記ローミングによる通信開始及び通信終了のうちの一方を示すローミング情報トラップを前記監視装置に送出するステップとを前記アクセスポイント各々に備え、
前記監視装置が前記情報トラップと前記ローミング情報トラップとに基づいて障害発生を検出し、
前記ローミング情報トラップを送出するステップは、前記ローミングによって前記端末装置の接続が解除された時に前記ローミングによる通信終了を示すローミング情報トラップを前記監視装置に送出し、前記ローミングによって前記端末装置への接続が設定された時に前記ローミングによる通信開始を示すローミング情報トラップを前記監視装置に送出している。
【０００８】
すなわち、本発明の無線通信ネットワークは、無線ＬＡＮ（Ｌｏｃａｌ  Ａｒｅａ  Ｎｅｔｗｏｒｋ）装置を利用したネットワークであり、アクセスポイントが自装置の障害通知機能と、アクセスポイントと通信をしている端末装置がローミングしたことを検知及び通知する機能とを有し、アクセスポイントの無線通信の障害発生を発見する機能を実現可能としたことを特徴とする。
【０００９】
これによって、監視装置に障害トラップとして通知されない障害に関しても、ローミング情報トラップを監視装置が受取ることによって、ローミングが生じる場合の障害発生を検出することが可能になる。
【００１０】
【発明の実施の形態】
次に、本発明の一実施例について図面を参照して説明する。図１は本発明の一実施例によるアクセスポイントの構成を示すブロック図である。図１において、アクセスポイント１は有線部１１と、無線部１２と、障害検知部１３と、障害トラップ送出部１４と、ローミング情報トラップ送出部１５とを備えている。
【００１１】
有線部１１は有線での通信を行い、無線部１２は無線での通信を行う。障害検知部１３は有線部１１及び無線部１２の障害を検知する。障害トラップ送出部１４は障害検知部１３で障害が検知されると、図示せぬ監視装置に対して有線を介してトラップを通知する。
【００１２】
ローミング情報トラップ送出部１５はローミングが発生した場合、通信終了もしくは通信開始を示すローミング情報トラップを監視装置に対して有線を介して通知する。
【００１３】
図２は本発明の一実施例による無線通信ネットワークの構成例を示すブロック図である。図２において、本発明の一実施例による無線通信ネットワークはアクセスポイント１，２と、ユーザ端末（ＰＣ：パーソナルコンピュータ）３〜５と、監視装置６とから構成されている。
【００１４】
アクセスポイント１，２は有線接続で本発明の一実施例による無線通信ネットワークに属すると同時に、無線通信機能を有するユーザ端末３と無線を介して通信を行うことで、ユーザ端末３を本発明の一実施例による無線通信ネットワークに接続する機能を有している。尚、アクセスポイント１，２はそれぞれ図１に示すような構成となっている。
【００１５】
ユーザ端末３はアクセスポイント１，２のうちのいずれか一方と無線による通信を行うことによって、本発明の一実施例による無線通信ネットワークに属しているコンピュータであり、無線通信ネットワークに属している他のユーザ端末４，５と通信可能となっている。
【００１６】
また、ユーザ端末３がアクセスポイント１との無線による通信が不可能になった場合、アクセスポイント２との無線による通信によって本発明の一実施例による無線通信ネットワークに接続しつづけることができる。これをローミング機能と呼ぶ。
【００１７】
監視装置６は有線接続によって本発明の一実施例による無線通信ネットワークに属しており、ＳＮＭＰ（Ｓｉｍｐｌｅ  Ｎｅｔｗｏｒｋ  Ｍａｎａｇｅｍｅｎｔ  Ｐｒｏｔｏｃｏｌ）マネージャ機能を有し，アクセスポイント１，２から通知される障害やローミングが発生したことを示すトラップを受信することによってアクセスポイント１，２に発生している障害や，ユーザ端末３がアクセスポイント１，２のうちのどちらと無線で接続されているのかを知る機能を有している。
【００１８】
図３は本発明の一実施例による無線通信ネットワークの故障発生時の状態を示す図であり、図４は図１のアクセスポイント１，２の処理動作を示すフローチャートである。これら図１〜図４を参照して本発明の一実施例による無線通信ネットワークの動作について説明する。
【００１９】
図２においてはユーザ端末３がアクセスポイント１との無線通信１０１を介して無線通信ネットワークに接続されている場合の動作を示し、図３においてはアクセスポイント１の無線部分の故障によって無線通信１０１が途絶えた場合の動作を示している。
【００２０】
図３に示すように、無線通信１０１が途絶えた場合、ユーザ端末３はローミング機能によってアクセスポイント２との無線通信１０２を介して無線通信ネットワークに接続し続けることができる。その際，アクセスポイント１はユーザ端末３が自装置との無線通信を停止したことを通信終了トラップによって監視装置６に伝え（図４ステップＳ４，Ｓ５）、アクセスポイント２はユーザ端末３が自装置との無線通信を開始したことを通信開始トラップによって監視装置６に伝える（図４ステップＳ４，Ｓ６）。
【００２１】
監視装置６はアクセスポイント１において、障害検知部１３で検出された障害をアクセスポイント１から送出される障害トラップ（図４ステップＳ１〜Ｓ３）を受取ることによって知ることができる。
【００２２】
また、監視装置６はアクセスポイント１において障害検知部１３で検知できない無線部分の障害が発生した場合においても、アクセスポイント１から通信終了トラップ（図４ステップＳ４，Ｓ５）を、アクセスポイント２から通信開始トラップ（図４ステップＳ４，Ｓ６）を受取ることによって、その無線部分の障害発生を知ることができる。
【００２３】
さらに、監視装置６はアクセスポイント１において有線部１１の障害が発生し、障害トラップ及び通信終了トラップが送信できない場合でも、アクセスポイント２からの通信開始トラップのみを受取ることによって、障害発生を知ることができる。
【００２４】
このように、監視装置６に障害トラップとして通知されない障害に関しても、ローミング情報トラップを監視装置６が受取ることによって、ローミングが生じる場合の障害発生を検出することができる。
【００２５】
【発明の効果】
以上説明したように本発明によれば、端末装置がアクセスポイントに無線回線を介して接続することでアクセスポイントに有線回線を介して接続される他の端末装置への接続を行うとともに、第１のアクセスポイントに接続される有線回線及び無線回線のいずれかで障害が発生した時に第１のアクセスポイントに接続される端末装置が第２のアクセスポイントに接続することで他の端末装置に接続するローミングが行われる無線通信ネットワークにおいて、無線回線及び有線回路の障害を検知し、その障害が検知された時に監視装置に当該障害を通知するため情報トラップを送出するとともに、ローミングが発生したことを検知した時にローミングによる通信開始及び通信終了のうちの一方を示すローミング情報トラップを監視装置に送出し、監視装置が情報トラップとローミング情報トラップとに基づいて障害発生を検出することによって、監視装置にトラップにて通知されない障害に関してもローミングが生じる場合の障害発生を検出することができるという効果がある。
【図面の簡単な説明】
【図１】本発明の一実施例によるアクセスポイントの構成を示すブロック図である。
【図２】本発明の一実施例による無線通信ネットワークの構成例を示すブロック図である。
【図３】本発明の一実施例による無線通信ネットワークの故障発生時の状態を示す図である。
【図４】図１のアクセスポイントの処理動作を示すフローチャートである。
【図５】従来例による無線通信ネットワークの構成例を示すブロック図である。
【符号の説明】
１，２  アクセスポイント
３〜５  ユーザ端末
６  監視装置
１１  有線部
１２  無線部
１３  障害検知部
１４  障害トラップ送出部
１５  ローミング情報トラップ送出部
【図１】
0003567873.tif 000002
【図２】
0003567873.tif 000003
【図３】
0003567873.tif 000004
【図４】
0003567873.tif 000005
【図５】
0003567873.tif 000006